(57)【要約】【課題】従来のプラテン形状を変えずに、非定型サイズの記録媒体に記録する場合、特定の記録素子に負荷が偏らずに、また、定型サイズのふち無し印字と比べてスループットを著しく落とさずに、ふち無し印字できる記録装置を提供することを目的とする。【解決手段】所定サイズとは異なるサイズの記録媒体に画像を記録する場合に、記録ヘッドにおいて複数の記録素子が配列された長さよりも短い搬送量で記録媒体を搬送させ、記録媒体における記録ヘッドの走査方向の端部領域を、使用する記録素子を上記第２の領域に対応した記録素子に制限して記録させ、上記記録媒体における記録ヘッドの走査方向の中間領域を、上記第２の領域に対応しない記録素子の使用を許可して記録させる。【選択図】図９
2011110760.tif 000002
【特許請求の範囲】
【請求項１】
複数の記録素子が配列されている記録ヘッドを記録媒体に対して相対的に走査させ、上記記録ヘッドからインクを吐出させて上記記録媒体に画像を記録する記録装置であって、
記録媒体と上記記録媒体からはみ出る領域とに対して記録ヘッドからインクを吐出させて、上記記録媒体に画像を記録するふち無し記録手段と；
所定サイズの記録媒体と記録ヘッドが有する複数の記録素子とに対応した第１の領域と、上記所定サイズとは異なるサイズの記録媒体と上記複数の記録素子のうちの一部の記録素子とに対応した第２の領域とに配置され、上記ふち無し記録手段により記録媒体からはみ出る領域に吐出されたインクを吸収するインク吸収手段と；
上記ふち無し記録手段が上記所定サイズとは異なるサイズの記録媒体に画像を記録する場合に、上記記録ヘッドにおいて上記複数の記録素子が配列された長さよりも短い搬送量で上記記録媒体を搬送させ、上記記録媒体における記録ヘッドの走査方向の端部領域を、使用する記録素子を上記第２の領域に対応した記録素子に制限して記録させ、上記記録媒体における記録ヘッドの走査方向の中間領域を、上記第２の領域に対応しない記録素子の使用を許可して記録させる記録制御手段と；
を有することを特徴とする記録装置。
【請求項２】
上記記録制御手段は、上記記録媒体における記録ヘッドの走査方向の中間領域を、使用する記録素子を上記第２の領域に対応する記録素子以外の記録素子に制限して記録させることを特徴とする請求項１に記載の記録装置。
【請求項３】
上記記録制御手段は、上記記録媒体における記録ヘッドの走査方向の中間領域を、上記第１の領域に対応する記録素子を使用して記録させることを特徴とする請求項１に記載の記録装置。
【請求項４】
上記記録制御手段は、上記記録媒体における記録ヘッドの走査方向の端部領域を、上記記録媒体における記録ヘッドの走査方向の中間領域よりも少ない補完回数で記録することを特徴とする請求項３に記載の記録装置。
【請求項５】
複数の記録素子が配列されている記録ヘッドを記録媒体に対して相対的に走査させて上記記録媒体と上記記録媒体からはみ出る領域とに対して記録ヘッドからインクを吐出させて上記記録媒体に画像を記録し、所定サイズの記録媒体と記録ヘッドが有する複数の記録素子とに対応した第１の領域と上記所定サイズとは異なるサイズの記録媒体と上記複数の記録素子のうちの一部の記録素子とに対応した第２の領域とに配置されて記録媒体からはみ出る領域に吐出されたインクを吸収するインク吸収手段を有する記録装置に画像を記録させる記録方法であって、
ふち無し記録手段が上記所定サイズとは異なるサイズの記録媒体に画像を記録する場合に、上記記録ヘッドにおいて上記複数の記録素子が配列された長さよりも短い搬送量で上記記録媒体を搬送させ、上記記録媒体における記録ヘッドの走査方向の端部領域を、使用する記録素子を上記第２の領域に対応した記録素子に制限して記録させ、上記記録媒体における記録ヘッドの走査方向の中間領域を、上記第２の領域に対応しない記録素子の使用を許可して記録させることを特徴とする記録方法。
【発明の詳細な説明】
【技術分野】
【０００１】
本発明は、複数の記録素子が配列されている記録ヘッドを記録媒体に対して相対的に走査させ、上記記録ヘッドからインクを吐出させて上記記録媒体に画像を記録する記録装置に関する。
【背景技術】
【０００２】
インクジェットプリンタによってふち無し印刷する場合、一般的に、記録媒体から少しはみ出して記録する。また、記録媒体からはみ出して印字を行うので、プラテン自体を汚さないように、一般的に、プリンタのプラテンの一部に穴をあけ、インク吸収体を配置してある。
【０００３】
つまり、図３に示すように、記録素子列３０１の一部分によってプラテン印字される第１領域Ｒ１と、Ａ４とはがきサイズとの記録媒体の左右にはみ出して記録した場合に、プラテン印字される第２領域Ｒ２とが、プラテン１０４に設けられている。そして、第１領域Ｒ１と第２領域Ｒ２とに穴を開け、その中に、インク吸収体３０２が配置されている。
【０００４】
プラテン１０４を備えているプリンタで、ふち無し記録をする場合、記録領域の先端領域と後端領域とに、第１領域Ｒ１に対応する記録素子の一部分を使用して、前後に少しだけはみ出して記録する（図５及び図７）。上記先端後端以外の領域には、全記録素子を使用し、左右に少しだけはみ出して記録する（図６）。記録媒体からはみ出したインクは、プラテン１０４の穴に配置されたインク吸収体３０２に吸収されるので、プラテンがインクで汚れるのを防ぐことができる。
【０００５】
しかし、プリンタの記録素子長×印字幅分（記録ヘッドが走査する幅）の面積の全てに穴をあけてインク吸収体を配置すると、記録媒体を支えるプラテンの強度が弱くなってしまう。したがって、記録素子長の全体に対応した穴は、Ａ４サイズやはがきサイズ等の所定サイズの記録媒体のみに対応するよう配置されている。
【０００６】
このために、記録媒体の幅が、所定サイズであるＡ４サイズやはがきサイズでない任意のサイズである場合、記録媒体の左右に少しはみ出した領域に、インク吸収体が配置されていないので、ふち無し記録できないという問題がある。
【０００７】
この問題を解決するために、記録媒体が定型サイズでなければ、記録媒体の先端領域でもなく後端領域でもない領域に、先端領域と同じように、記録素子の一部分のみを使用して記録する（たとえば、特許文献１参照）。つまり、図３における第１領域Ｒ１を使用して記録することで、非定型サイズの記録媒体に対するふち無し印字を実現している。
【先行技術文献】
【特許文献】
【０００８】
【特許文献１】特開２００４−１８１８２６号公報
【発明の概要】
【発明が解決しようとする課題】
【０００９】
しかし、上記従来の記録装置では、非定型サイズにふち無し印字する場合、記録媒体の先端領域でもなく後端領域でもない領域に、先端領域・後端領域における印字と同じ記録素子で印字するので、使用される記録素子の負荷が多いという問題がある。また、このために、記録素子の寿命を縮めるという問題がある。
【００１０】
また、上記従来例では、定型サイズのふち無し印字に比べ、記録媒体の全領域において使用記録素子数が制限されるので、スループットが著しく遅くなってしまうという問題がある。
【００１１】
本発明は、従来のプラテン形状を変えずに、非定型サイズの記録媒体に記録する場合、特定の記録素子に負荷が偏らずに、また、定型サイズのふち無し印字と比べてスループットを著しく落とさずに、ふち無し印字できる記録装置を提供することを目的とする。
【課題を解決するための手段】
【００１２】
本発明は、複数の記録素子が配列されている記録ヘッドを記録媒体に対して相対的に走査させ、上記記録ヘッドからインクを吐出させて上記記録媒体に画像を記録する記録装置であって、記録媒体と上記記録媒体からはみ出る領域とに対して記録ヘッドからインクを吐出させて、上記記録媒体に画像を記録するふち無し記録手段と、所定サイズの記録媒体と記録ヘッドが有する複数の記録素子とに対応した第１の領域と、上記所定サイズとは異なるサイズの記録媒体と上記複数の記録素子のうちの一部の記録素子とに対応した第２の領域とに配置され、上記ふち無し記録手段により記録媒体からはみ出る領域に吐出されたインクを吸収するインク吸収手段と、上記ふち無し記録手段が上記所定サイズとは異なるサイズの記録媒体に画像を記録する場合に、上記記録ヘッドにおいて上記複数の記録素子が配列された長さよりも短い搬送量で上記記録媒体を搬送させ、上記記録媒体における記録ヘッドの走査方向の端部領域を、使用する記録素子を上記第２の領域に対応した記録素子に制限して記録させ、上記記録媒体における記録ヘッドの走査方向の中間領域を、上記第２の領域に対応しない記録素子の使用を許可して記録させる記録制御手段とを有することを特徴とする。
【発明の効果】
【００１３】
本発明によれば、従来のプラテン形状を変えずに、非定型サイズの記録媒体に記録する場合、特定の記録素子に負荷が偏らずに、また、定型サイズのふち無し印字と比べてスループットを著しく落とさずに、ふち無し印字できるという効果を奏する。
【図面の簡単な説明】
【００１４】
【図１】本発明の実施例１である記録装置ＰＲ１を示す斜視図である。
【図２】ＰＣ１１０と記録装置ＰＲ１とを示すブロック図である。
【図３】記録装置ＰＲ１におけるプラテン１０４を示す図である。
【図４】ＰＣ１１０からデータを受信する動作を示すフローチャートである。
【図５】Ａ４サイズの記録媒体５０１に、ふち無しプリントする図である。
【図６】Ａ４サイズの記録媒体５０１に、ふち無しプリントする図である。
【図７】Ａ４サイズの記録媒体５０１に、ふち無しプリントする図である。
【図８】非定型サイズの記録媒体８０１に、ふち無しプリントする説明図である。
【図９】非定型サイズの記録媒体８０１に、ふち無しプリントする説明図である。
【図１０】非定型サイズの記録媒体８０１に、ふち無しプリントする説明図である。
【図１１】非定型サイズの記録媒体８０１に、ふち無しプリントする説明図である。
【発明を実施するための形態】
【００１５】
発明を実施するための形態は、次の実施例である。
【実施例１】
【００１６】
図１は、本発明の実施例１であるふち無し可能な記録装置ＰＲ１を示す斜視図である。
【００１７】
ふち無し記録装置ＰＲ１は、給紙機構１０２と、紙送りローラ１０３と、プラテン１０４と、記録ヘッド１０５と、キャリア１０６とを有する。
【００１８】
給紙機構１０２にセットされている紙は、紙送りローラ１０３によって、矢印Ａ方向または矢印Ｂ方向に送られ、プラテン１０４の上へ搬送される。記録ヘッド１０５は複数の記録素子が配列されており、キャリア１０６に着脱可能に搭載されている。キャリア１０６は、矢印Ｃ及び矢印Ｄの方向に移動可能である。キャリア１０６を移動させながら、記録ヘッド１０５を制御することによって、プラテン１０４の上にある紙に画像を記録する。
【００１９】
一方、ＰＣ１１０は、入力装置であるキーボード１１１と、表示装置であるモニタ１１２とに接続され、また、接続ケーブル１１３を介して、記録装置ＰＲ１と接続されている。
【００２０】
図２は、ＰＣ１１０と記録装置ＰＲ１とを示すブロック図である。
【００２１】
まず、ＰＣ１１０について説明する。ＰＣ１１０にインストールされたアプリケーション２１１は、ユーザから印刷指令を受けると、プリンタドライバ２１２に、印刷すべき画像を送信する。プリンタドライバ２１２は、印刷すべき画像を受信すると、印刷部数や印刷品位等を入力することを、ユーザに促し、これに合わせて、印刷すべき画像をプリンタが解読できるデータに変換し、通信ドライバ２１３に送信する。
【００２２】
通信ドライバ２１３は、受け取った印刷データを、記録装置ＰＲ１に送信する。また、通信ドライバ２１３は、記録装置ＰＲ１からエラーや警告等のステータスを受信すると、この受信した情報をユーザに知らせる。
【００２３】
次に、記録装置ＰＲ１について説明する。
【００２４】
記録装置ＰＲ１は、受信バッファ２０１と、ＣＰＵ２０２と、メモリ部２０３と、メカコントロール部２０４と、メカ部２０５と、センサ／ＳＷコントロール部２０６と、センサ／ＳＷ部２０７とを有する。また、記録装置ＰＲ１は、表示素子コントロール部２０８と、表示素子部２０９と、記録ヘッドコントロール部２１０と、記録ヘッド１０５とを有する。
【００２５】
次に、記録装置ＰＲ１の動作について説明する。記録すべき画像のデータが、ＰＣ１１０から、受信バッファ２０１に入力される。また、正しくデータが転送されていることを確認するデータと、記録装置ＰＲ１の動作状態を知らせるデータとが、記録装置ＰＲ１からホストコンピュータに送信される。
【００２６】
ＣＰＵ２０２は、メモリ部２０３のＲＯＭ（リードオンリーメモリ）に記憶されたプログラムを読み出し、メモリ部２０３のＲＡＭ（ランダムアクセスメモリ）をワークメモリとして実行することで、記録装置ＰＲ１の各種の制御を行う。受信バッファ２０１のデータは、ＣＰＵ２０２の管理下で、メモリ部２０３に転送され、ＲＡＭに一時的に記憶される。メカコントロール部２０４は、ＣＰＵ２０２からの指令によって、キャリアモータや紙送りモータ等のメカ部２０５を駆動制御する。センサ／ＳＷコントロール部２０６は、各種センサやＳＷ（スイッチ）を有するセンサ／ＳＷ部２０７からの信号を、ＣＰＵ２０２に送る。表示素子コントロール部２０８は、ＣＰＵ２０２からの指令によって、表示パネル群のＬＥＤや液晶素子等を有する表示素子部２０９を制御する。記録ヘッドコントロール部２１０は、ＣＰＵ２０２からの指令によって、記録ヘッド１０５を制御する。また、記録ヘッドコントロール部２１０は、記録ヘッド１０５の状態を示す温度情報等を検出し、検出された温度情報等を、ＣＰＵ２０２に送る。また、記録ヘッドの記録素子のうち使用する記録素子を適宜選択することができる。
【００２７】
つまりＣＰＵ２０２は、メカコントロール部２０４、記録ヘッドコントロール部２１０を介してメカ部２０５、記録ヘッド１０５を制御することで、記録装置ＰＲ１の記録制御を行うことができる。具体的には、複数の記録素子が配列されている記録ヘッドを記録媒体に対して相対的に往復走査させながら、上記記録ヘッドからインクを吐出させて上記記録媒体に記録させることができる。その際に、記録ヘッドを記録する記録媒体からはみ出る領域に走査させてインクを吐出させることで、ふち無し記録を行うことができる。
【００２８】
図３は、記録装置ＰＲ１におけるプラテン１０４を示す図である。
【００２９】
プラテン１０４には、記録ヘッド１０５に備えられている記録素子列３０１の上側半分部分ＵＰ１によって、プラテン印字される第１領域Ｒ１に穴があけられている。また、記録ヘッド１０５に設けられている記録素子列３０１の全てによって、Ａ４サイズとはがきサイズとの記録媒体の左右にはみ出して記録した場合、プラテン印字される第２領域Ｒ２に、穴があけられている。プラテン１０４の中に、穴に対応する位置にインク吸収体３０２が配置されている。つまり、ふち無し記録を行う場合に、記録媒体の先端領域と後端領域とに使用される記録素子の一部分によってインクが着弾する可能性のある領域に、インク吸収体３０２が設けられている。また、所定サイズの記録媒体から左右にはみ出してインクが着弾する可能性のある領域に、インク吸収体３０２が設けられている。
【００３０】
次に、記録装置ＰＲ１において、受信バッファ２０１を経由して、ＰＣ１１０からデータを受信した場合における動作について説明する。
【００３１】
図４は、記録装置ＰＲ１において、受信バッファ２０１を経由して、ＰＣ１１０からデータを受信した場合における動作を示すフローチャートである。
【００３２】
処理が開始されると、ステップ４０１で、受信したデータがふち無しプリントデータであるかどうかを判別する。この判別の結果、ふち無しプリントデータであると判別されると、ステップ４０３へ進み、そうでなければ、ステップ４０２へ進む。
【００３３】
ステップ４０２で、従来例と同様に、ふち有りプリントを実行し、受信データ処理を終了する。ステップ４０３で、記録すべき画像の先端領域を、記録素子列３０１の上側半分部分ＵＰ１で記録する。
【００３４】
ステップ４０４で、受信したデータが、Ａ４サイズまたははがきサイズであるかどうかを判別する。この結果、Ａ４サイズまたははがきサイズであると判別されると、ステップ４０６へ進み、そうでなければステップ４０５へ進む。
【００３５】
ステップ４０５で、記録すべき画像のうち記録媒体からはみ出して印字する左右端全領域と、それ以外の領域（はみ出さないで印字する領域）とで、使用する記録素子の数、使用する記録素子の位置を変えて記録する。たとえば図３に示したプラテンの例において記録すべき画像のうち記録媒体からはみ出して印字する左右端領域を記録する場合、複数の記録素子のうち使用する記録素子を上側半分に制限して記録する。
【００３６】
ステップ４０６では、記録すべき画像の中間領域を、ステップ４０５における記録素子の制限を行わずに、下側半分の記録素子の使用を許可して記録する。ステップ４０７で、記録すべき画像の後端領域を、記録素子列３０１の上側半分部分ＵＰ１で記録し、受信データ処理を終了する。
【００３７】
次に、上記実施例において、所定サイズであるＡ４サイズの記録媒体にふち無し記録される過程について説明する。図５、図６、図７は、図４に示すフローチャートに従って、記録装置ＰＲ１が受信したＡ４サイズのふち無しプリントデータが、Ａ４サイズの記録媒体５０１に、ふち無しプリントされる過程を説明する図である。
【００３８】
記録装置ＰＲ１がデータを受信すると、ステップ４０１で、受信データがふち無しプリントデータであるかどうかを判別する。ふち無しプリントデータであると判別されるので、ステップ４０３へ進む。ステップ４０３で、図５に示すように、記録媒体５０１の先端領域を、記録素子列３０１の上側半分部分ＵＰ１を使ってプリントする。記録媒体５０１からはみ出したインクは、インク吸収体３０２に吸収されるので、プラテン１０４がインクで汚れるのを防ぐことができる。
【００３９】
ステップ４０４で、受信データがＡ４サイズまたははがきサイズであるかどうかを判別する。この場合、Ａ４サイズであると判別するので、ステップ４０６へ進む。ステップ４０６で、図６に示すように、記録媒体５０１の中間領域を、記録素子列３０１の全てを使用対象の記録素子として記録する。記録媒体５０１からはみ出したインクを、インク吸収体３０２が吸収するので、プラテン１０４がインクで汚れるのを防ぐことができる。ステップ４０７で、図７に示すように、記録媒体５０１の後端領域を、記録素子列３０１の上側半分部分ＵＰ１を使ってプリントし、ふち無しプリントを完成させる。記録媒体５０１からはみ出したインクを、インク吸収体３０２が吸収するので、プラテン１０４がインクで汚れるのを防ぐことができる。
【００４０】
上記実施例において、所定サイズの記録媒体に、ふち無しで記録する場合、記録媒体５０１の中間部分で、全ての記録素子を使用対象の記録素子として記録するので、ふち無し記録でない記録方法と同等のスループットで記録を行うことができる。
【００４１】
次に、所定サイズ以外の記録媒体に、ふち無し記録する過程について説明する。
【００４２】
図８、図９、図１０は、図４に示すフローチャートによって、所定でないサイズの記録媒体に、ふち無しプリントする過程を説明する図である。ここでは所定サイズとは異なるサイズの記録媒体として、Ａ４サイズよりも小さく、はがきサイズよりも大きなサイズの記録媒体８０１を例に説明する。なお本実施例においては、所定サイズ以外のサイズを、非定型サイズともいう。
【００４３】
記録装置ＰＲ１がデータを受信すると、ステップ４０１で、受信データが、ふち無しプリントデータであるかどうかを判別する。この場合、ふち無しプリントデータであると判別されるので、ステップ４０３へ進む。ステップ４０３で、図８に示すように、記録媒体８０１の先端領域を、記録素子列３０１の上側半分部分ＵＰ１を使ってプリントする。記録媒体８０１からはみ出したインクを、インク吸収体３０２が吸収するので、プラテン１０４がインクで汚れるのを防ぐことができる。
【００４４】
ステップ４０４で、受信データがＡ４サイズまたははがきサイズであるかどうかを判別する。この場合、Ａ４サイズでもはがきサイズでもないと判別するので、ステップ４０５へ進む。
【００４５】
ステップ４０５で、図９（１）に示すように、記録媒体８０１の中間領域において、記録媒体８０１からはみ出して印字を行う左右端部と、それ以外の部分とで、異なる数の記録素子、異なる記録素子位置で記録する。なお、図９ではマルチパス記録においてふち無し印刷を行う例を示している。なおマルチパス記録とは、記録媒体の同一領域に対して、記録ヘッドを複数回走査させ、複数回の印字で補完して記録を行う方法である。
【００４６】
図９（１）に示す方法では、記録媒体８０１からはみ出して印字を行う記録ヘッドの走査方向の左右端部領域に対しては、使用する記録素子を記録素子列３０１の上側半分部分ＵＰ１に制限して記録する。一方、記録媒体８０１からはみ出して印字を行う記録ヘッドの走査方向の左右端部領域以外（中間領域）に対しては、記録素子列３０１の全てを使って記録する。つまり、記録媒体８０１における部分ａ（左端部、中間領域、右端部）を、記録素子列３０１の上側半分部分ＵＰ１で記録する。これと同時に、記録媒体８０１における部分ｂ１（中間領域）を、記録素子列３０１の下側半分部分ＤＰ１で記録する。この場合、記録媒体の左右端はインク吸収体３０２が設けられている第１領域Ｒ１に対応した記録素子列３０１の上側半分部分ＵＰ１で記録するので、プラテンがインクで汚れるのを防ぐことができる。
【００４７】
そして図９（２）に示すように、記録素子列３０１の半分の長さ（図９中、記録素子列３０１の上下方向の半分の長さ、つまり上側半分部分ＵＰ１の縦方向の長さ）分だけ、記録媒体８０１を搬送する。そして、上記搬送した後に図９（１）で示した記録を再び行う。つまり、記録素子列３０１の上側半分部分ＵＰ１で記録媒体の左端部、中間領域、右端部を記録する。このとき中間領域は搬送する前に下側半分部分ＤＰ１により既に記録されているので、ここではその画像を補完するように記録される。一方、左右端部は下側半分部分ＤＰ１では記録されずに、図９（２）で示した状態で上側半分部分ＵＰ１により記録される。つまり、記録媒体からはみ出す左右端部の補完回数を、左右端部以外の領域の補完回数よりも少なくすることで実現できる。
【００４８】
以上のように記録媒体の先後端以外の領域を記録すると、ステップ４０７では、図１０に示すように、記録媒体８０１の後端領域を、記録素子列３０１の上側半分部分ＵＰ１を使って記録し、ふち無し記録を完成させる。記録媒体８０１からはみ出したインクを、インク吸収体３０２が吸収するので、プラテン１０４を汚すことを防ぐことができる。
【００４９】
以上のように本実施例では、所定サイズでない記録媒体に対してふち無し記録を行う場合であっても、記録素子の全てを使用対象の記録素子とすることができる。よって、使用する記録素子を一部分に限定する場合に比べ、特定の記録素子に負荷を偏らせずに、ふち無し記録を行うことができる。また記録媒体の中間領域に対しては異なる記録素子を使用して補完して記録できるので、使用する記録素子を一部分に限定する場合に比べ、高速にふち無し記録を行うことができる。
【実施例２】
【００５０】
図１１は、本発明の実施例２である記録装置ＰＲ２の説明図である。記録装置ＰＲ２の構成は、記録装置ＰＲ１の構成と同様であるが、ここではマルチパス記録ではなく、記録媒体の領域に対して１回の記録で画像を完成させる記録方法でふち無し記録を実現させる。
【００５１】
記録装置ＰＲ２では、記録媒体８０１の部分ｃ２（左端領域）、部分ｃ３（右端領域）を、記録素子列３０１の上側半分部分ＵＰ１でプリントする。なお、後述するが、このとき部分ｃ１（中間領域）は記録素子列３０１の下側半分部分ＤＰ１で記録されている。この場合、記録媒体８０１の部分ｃ２（左端領域）、部分ｃ３（右端領域）が、第１領域Ｒ１の上でプリントされるので、インクがインク吸収体３０２に吸収され、プラテンが汚れるのを防ぐことができる。そして、これと同時に、記録素子列３０１の下側半分部分ＤＰ１が、部分ｄ１（中間領域）を記録する。
【００５２】
その後に、記録素子列３０１の半分の長さ（図１１中、記録素子列３０１の上下方向の半分の長さ）分だけ、記録媒体８０１を搬送する。つまり部分ｃ１（中間領域）は、図１１（１）に示した状態より前に記録素子列３０１の下側半分部分ＤＰ１で記録されており、搬送されて図１１（１）に示した状態になったときには既に記録が行われている。
【００５３】
そして図１１（１）に示した状態から記録媒体を搬送したあと、図１１（２）に示すように、記録媒体８０１の部分ｄ２（左端領域）、部分ｄ３（右端領域）を、記録素子列３０１の上側半分部分ＵＰ１でプリントする。この場合、記録媒体８０１の部分ｃ２（左端領域）、部分ｃ３（右端領域）が、第１領域Ｒ１の上で記録されるので、インクがインク吸収体３０２に吸収され、プラテンが汚れるのを防ぐことができる。これと同時に、記録媒体８０１の部分ｅ１（中間領域）を、使用する記録素子を端部領域で使用する記録素子以外の記録素子（本実施例では記録素子列３０１の下側半分部分ＤＰ１）に制限してプリントする。
【００５４】
上記動作を繰り返して、記録媒体８０１の先後端以外の領域へのプリントが終了する。
【００５５】
以上のように本実施例では、所定サイズでない記録媒体に対してふち無し記録を行う場合であっても、記録素子の全てを使用対象の記録素子とすることができる。よって、使用する記録素子を一部分に限定する場合に比べ、特定の記録素子に負荷を偏らせずに、ふち無し記録を行うことができる。
【符号の説明】
【００５６】
ＰＲ１、ＰＲ２…記録装置、
１０４…プラテン、
Ｒ１…第１領域、
３０１…記録素子列、
３０２…インク吸収体。
【図１】
2011110760.tif 000003
【図２】
2011110760.tif 000004
【図３】
2011110760.tif 000005
【図４】
2011110760.tif 000006
【図５】
2011110760.tif 000007
【図６】
2011110760.tif 000008
【図７】
2011110760.tif 000009
【図８】
2011110760.tif 000010
【図９】
2011110760.tif 000011
【図１０】
2011110760.tif 000012
【図１１】
2011110760.tif 000013